(57)【要約】【課題】解像度を低減することなく、粒状感を抑制した高品位な画像記録を行う画像形成装置及び画像形成方法を提供する。【解決手段】少なくとも３以上の色材を用いて記録媒体に画像を形成する画像形成手段を備える画像形成装置であって、画像形成手段は、少なくとも３以上の色材に加え、少なくとも３以上の各色材の間の色相である色材を各々少なくとも１以上用いて画像を形成し、間の色相である色材は、少なくとも２以上の濃度を有し、少なくとも２以上の濃度を有する色材は、隣り合う段階の濃度の色材による記録明度と記録媒体の明度との差が３５以内である。なお、明度は、光源として標準照明光Ｄ６５を用い、ＣＩＥ１９７６心理計測明度の定義に従って、測定されるものである。【選択図】図１
2010173185.tif 000002
【特許請求の範囲】
【請求項１】
少なくとも３以上の色材を用いて記録媒体に画像を形成する画像形成手段を備える画像形成装置であって、
前記画像形成手段は、前記少なくとも３以上の色材に加え、前記少なくとも３以上の各色材の間の色相である色材を各々少なくとも１以上用いて画像を形成し、
前記間の色相である色材は、少なくとも２以上の濃度を有し、
少なくとも２以上の濃度を有する色材は、隣り合う段階の濃度の色材による記録明度と前記記録媒体の明度との差が３５以内であり、
前記明度は、光源として標準照明光Ｄ６５を用い、ＣＩＥ１９７６心理計測明度の定義に従って、測定されるものであることを特徴とする画像形成装置。
【請求項２】
前記少なくとも３以上の色材のうち少なくとも２以上の色材は、少なくとも２以上の濃度を有することを特徴とする請求項１記載の画像形成装置。
【請求項３】
前記色材は、シアン、マゼンダ、イエローであり、
前記色材の間の色相である色材は、レッド、グリーン、ブルーであることを特徴とする請求項１又は２に記載の画像形成装置。
【請求項４】
前記画像形成手段は、無彩色の色材をさらに用いて画像を形成し、
前記無彩色の色材は、少なくとも２以上の濃度を有することを特徴とする画像形成装置。
【請求項５】
少なくとも３以上の色材を用いて記録媒体に画像を形成する画像形成ステップを備える画像形成方法であって、
前記画像形成ステップは、前記少なくとも３以上の色材に加え、前記少なくとも３以上の各色材の間の色相である色材を各々少なくとも１以上用いて画像を形成し、
前記間の色相である色材は、少なくとも２以上の濃度を有し、
少なくとも２以上の濃度を有する色材は、隣り合う段階の濃度の色材による記録明度と前記記録媒体の明度との差が３５以内であり、
前記明度は、光源として標準照明光Ｄ６５を用い、ＣＩＥ１９７６心理計測明度の定義に従って、測定されるものであることを特徴とする画像形成方法。
【発明の詳細な説明】
【技術分野】
【０００１】
本発明は、少なくとも３以上の色材を用いて記録媒体に画像を形成する画像形成装置及び画像形成方法に関する。
【背景技術】
【０００２】
近年、パソコンやワープロ等のＯＡ機器が広く普及し、これら機器で入力した情報の出力も文字や線画等のいわゆる２値画像だけではなく、写真等の中間調画像の出力やカラー画像の出力をする機会が急速に増えてきている。
【０００３】
これら画像を出力する出力方法として様々な画像形成方法や画像形成装置が開発されてきている。中でも、安価に高画質カラー記録が可能なインクジェット（ＩＪ）記録方式を適用した画像形成装置が広く市場に受け入れられ始めている。このＩＪ記録方式の画像形成装置を含め、現在普及している多くの画像形成装置では、上記中間調の形成を面積階調によって表現している。ここで、面積階調とは記録媒体上への記録面積を制御することで中間調再現を行う方法である。例えば、ＩＪ記録方式の画像形成装置を例に挙げると、中間調再現を行う方法として大きくはドット径変調方法と擬似階調方法の２種類に分類できる。ドット径変調方法は、記録する１ドットのインク吐出量を制御することで記録媒体上の１ドットの大きさを階調値に応じて制御し、単位面積当たりの記録面積を制御する方法である。他方、擬似階調方法としては、ディザマトリックス法やＥＤ法（エラーディフュージョン法）等周知の階調再現方法が挙げられる。
【０００４】
しかし、上述したような中間調再現方法にあっては下記のような問題があった。まず、ドット径変調方法では、現実的にドット当たりの吐出量の変調範囲は約２倍程度であり、この程度の吐出量変調では中間調の再現能力としては不十分である。例えば、８０ｎｇ／ドットの吐出量での記録ドット径と８ｎｇ／ドットの吐出量での記録ドット径とを記録媒体である用紙上で比較すると、１ドット当たりの吐出量は１０倍違うにもかかわらず、用紙上のドット径は２倍程度の差にしかならない。無論インクの組成、記録媒体の種類によって若干の変動はあるにせよ、吐出量２倍程度の変調幅では用紙上での記録ドット径の制御による面積階調方法としてはとても十分とは言い難い。
【０００５】
次に、擬似階調方法であるディザマトリックス法は、既定のマトリックスサイズの中に記録するドットの数を制御する方法である。マトリックスサイズを大きくすることで階調再現能力も向上させることが可能であるが、事実上の解像度が低下し、文字や線画の先鋭度が悪化してしまう。さらには、特に低階調の画像部（ハイライト部）でドットの粒状感が違和感として生じる。前記ＥＤ法を用いれば解像度の低下は若干緩和されるが、ハイライト部での粒状感はドット濃度に起因して生じるので改善はされない。
【０００６】
また、粒状感が目立たないように薄い淡インクを用いて記録する方法もあるが、むやみにインクを希釈して用いたのではハイライト部の粒状感は緩和できてもダーク部での最高濃度を満足できずに画像全体として高画質化は望めない。
【０００７】
また上述した問題を解決し、粒状感を目立たないようにするために、シアン、マゼンタといったプロセスインクについて複数の濃度のインクを記録インクとして用いる、いわゆる濃淡インク記録方法が開示されている。濃淡インク記録方法は、十分に薄いインクと十分に濃いインクを用いることでハイライト部の粒状感とダーク部の最高濃度を双方満足する記録方法であるが、この場合には階調再現において淡インク記録から濃インク記録への切り替わり部で粒状感が生じてしまう。すなわち、十分に薄い淡インクで記録したハイライト画像の中に十分に濃い濃インクのドットを打ち込むと、淡インク画像と濃インクドットのコントラストの差で粒状感が目立ってしまい、濃淡記録を行った効果が得られなくなるという問題があった。
【０００８】
上述した問題を解決するために、プロセスインクについて複数段階の濃度のインクを記録インクとして用い、且つプロセスインクそれぞれについて、隣り合う段階の濃度のプロセスインクによる記録明度の差が３５以内であり、最低濃度のプロセスインクによる記録明度と用紙の明度との差が３５以内とする中間調記録装置の技術が開示されている（例えば、特許文献１）。
【０００９】
さらに、各色インク滴の重ねる順序によって色調が異なってしまうため、双方向印刷する場合には色差が生じてしまうという問題があった。この問題を解決するために、プロセスインクと黒色インクに加え、プロセスインクとは異なる色相の記録液を使用して画像形成を行う技術が開示されている（例えば、特許文献２）。
【発明の概要】
【発明が解決しようとする課題】
【００１０】
上記特許文献１の技術のように、シアン、マゼンタといったプロセスインクについて、淡インクと濃インクのさらに中間濃度に希釈した中インクや、さらにそれらの中間の中淡インクや中濃インク等、インクの希釈濃度の段階を増やしていくことで、シアン、マゼンタに近い色相色については十分な効果を得ることができる。しかし、その組合せによるブルー、またイエローインクとの組合せによるレッド、グリーンといった２次色については、シアン、マゼンタの濃淡インクだけでは粒状感を向上させるには限界があるとうい問題があった。また、透過型の記録媒体（例えば、液晶フィルタ等）に粒状感を抑制した高品位な画像記録を行うには、レッド、グリーン、ブルーの濃淡インクが必要となるという問題があった。
【００１１】
また、上記特許文献２の技術では、双方向印刷時の色差を低減させることのみを目的としているため、記録明度については示唆されていない。そのため、粒状感を向上させるには限界があるとうい問題があった。
【００１２】
本発明はこのような実情を鑑みてなされたものであり、上記従来の課題を解決し、実解像度を低減することなく、粒状感を抑制した高品位な画像記録を行う画像形成装置及び画像形成方法を提供することを目的とする。
【課題を解決するための手段】
【００１３】
本発明の画像形成装置は、少なくとも３以上の色材を用いて記録媒体に画像を形成する画像形成手段を備える画像形成装置であって、画像形成手段は、少なくとも３以上の色材に加え、少なくとも３以上の各色材の間の色相である色材を各々少なくとも１以上用いて画像を形成し、間の色相である色材は、少なくとも２以上の濃度を有し、少なくとも２以上の濃度を有する色材は、隣り合う段階の濃度の色材による記録明度と記録媒体の明度との差が３５以内であり、明度は、光源として標準照明光Ｄ６５を用い、ＣＩＥ１９７６心理計測明度の定義に従って、測定されるものであることを特徴とする。
【００１４】
本発明の画像形成方法は、少なくとも３以上の色材を用いて記録媒体に画像を形成する画像形成ステップを備える画像形成方法であって、画像形成ステップは、少なくとも３以上の色材に加え、少なくとも３以上の各色材の間の色相である色材を各々少なくとも１以上用いて画像を形成し、間の色相である色材は、少なくとも２以上の濃度を有し、少なくとも２以上の濃度を有する色材は、隣り合う段階の濃度の色材による記録明度と記録媒体の明度との差が３５以内であり、明度は、光源として標準照明光Ｄ６５を用い、ＣＩＥ１９７６心理計測明度の定義に従って、測定されるものであることを特徴とする。
【発明の効果】
【００１５】
本発明によれば、実解像度を低減することなく、粒状感を抑制した高品位な画像記録を行うことが可能となる。
【図面の簡単な説明】
【００１６】
【図１】本実施形態に係る画像形成装置の機構部の概略構成例を示す図である。
【図２】本実施形態に係る画像形成装置の画像形成方法例を説明するための平面図である。
【図３】本実施形態に係る画像形成装置の記録ヘッドの構成例を示す斜視図である。
【図４】本実施形態に係る画像形成装置の搬送ベルトの例を示す模式図である。
【図５】本実施形態に係る画像形成装置のインク滴噴射例を説明するための図である。
【図６】本実施形態に係る画像形成装置の制御部の概略構成例を示すブロック図である。
【図７】本実施形態に係る画像形成装置の印刷制御部及びヘッドドライバの概略構成例を示す図である。
【図８】本実施形態に係る画像形成装置により生成される駆動波形の例を示す図である。
【図９】本実施形態に係る画像形成装置により生成される駆動波形の例を示す図である。
【図１０】本実施形態に係る画像形成装置のノズルの配列例を示す図である。
【図１１】本実施形態に係る画像形成装置のノズルの配列例を示す図である。
【図１２】本実施形態に係る画像形成装置のノズルの配列例を示す図である。
【図１３】画像形成装置のノズルの配列例を示す図である。
【発明を実施するための形態】
【００１７】
以下に本発明の実施形態の例について、図面を用いて詳細に説明する。
【００１８】
まず、本実施形態を適用する画像形成装置として、インクジェット記録方式の画像形成装置を例に挙げて、図１〜図４を参照して説明する。図１は、本実施形態に係る画像形成装置の機構部全体の概略構成例を示す。図２は、本実施形態に係る画像形成装置の要部の例を示す。図３は、本実施形態に係る画像形成装置のヘッド構成例を説明するための図である。図４は、本実施形態に係る画像形成装置の搬送ベルトの例を模式的に示す断面図である。尚、本実施形態ではインクジェット記録方式の画像形成装置を例に挙げて説明するが、これに限定されるものではない。
【００１９】
このインクジェット記録方式の画像形成装置は、画像形成装置本体１の内部に画像形成部２等を有し、装置本体１の下方側に多数枚の記録媒体である用紙３を積載可能な給紙トレイ４を備えている。この給紙トレイ４から給紙される用紙３を取り込み、搬送機構５によって用紙３を搬送しながら画像形成部２によって所要の画像を記録した後、装置本体１の側方に装着された排紙トレイ６に用紙３を排紙する。尚、以下、本実施形態では記録媒体として用紙３を適用する場合を例に挙げて説明するが、これに限定されるものではない。
【００２０】
また、この画像形成装置は、画像形成装置本体１に対して着脱可能な両面ユニット７を備え、両面印刷を行うときには、一面（表面）印刷終了後、搬送機構５によって用紙３を逆方向に搬送しながら両面ユニット７内に取り込み、反転させて他面（裏面）を印刷可能面として再度搬送機構５に送り込み、他面（裏面）印刷終了後排紙トレイ６に用紙３を排紙する。
【００２１】
ここで、画像形成部２は、ガイドシャフト１１、１２にキャリッジ１３を摺動可能に保持し、図示しない主走査モータでキャリッジ１３を用紙３の搬送方向と直交する方向に移動（主走査）させる。このキャリッジ１３には、液滴を吐出する複数の吐出口であるノズル孔１４ｎ（図３参照）を配列した液滴吐出ヘッドで構成した記録ヘッド１４を搭載し、また、この記録ヘッド１４に液体を供給するインクカートリッジ１５を着脱自在に搭載している。尚、インクカートリッジ１５に代えてサブタンクを搭載し、メインタンクからインクをサブタンクに補充供給する構成とすることもできる。
【００２２】
給紙コロ（半月コロ）２１と図示しない分離パッドは、給紙トレイ４の用紙３を１枚ずつ分離し、画像形成装置本体１内に給紙して、搬送機構５に送り込む。
【００２３】
搬送機構５は、搬送ガイド部２３、搬送ローラ２４、加圧コロ２５、ガイド部材２６、２７、押し付けコロ２８、を有している。搬送ガイド部２３は、給紙された用紙３をガイド面２３ａに沿って上方にガイドし、また両面ユニット７から送り込まれる用紙３をガイド面２３ｂに沿ってガイドする。搬送ローラ２４は、用紙３を搬送する。加圧コロ２５は、搬送ローラ２４に対して用紙３を押し付ける。ガイド部材２６は、用紙３を搬送ローラ２４側にガイドする。ガイド部材２７は、両面印刷時に戻される用紙３を両面ユニット７にガイドする。押し付けコロ２８は、搬送ローラ２４から送り出す用紙３を押圧する。
【００２４】
さらに、搬送機構５は、記録ヘッド１４で用紙３の平面性を維持したまま搬送するために、駆動ローラ３１と従動ローラ３２との間に掛け渡した搬送ベルト３３と、この搬送ベルト３３を帯電させるための帯電ローラ３４と、帯電ローラ３４に対向するガイドローラ３５と、図示しないが、搬送ベルト３３を画像形成部２に対向する部分で案内するガイド部材（プラテンプレート）と、搬送ベルト３３に付着した記録液（インク）を除去するためのクリーニング手段である多孔質体等からなるクリーニングローラ等を有している。
【００２５】
ここで、搬送ベルト３３は、無端状ベルトであり、駆動ローラ３１と従動ローラ（テンションローラ）３２との間に掛け渡されて、図１の矢示方向（用紙搬送方向）に周回するように構成している。
【００２６】
この搬送ベルト３３は、単層構成、又は図４に示すように第１層（最表層）３３ａと第２層（裏層）３３ｂの２層構成あるいは３層以上の構成とすることができる。例えば、この搬送ベルト３３は、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とで構成する。
【００２７】
帯電ローラ３４は、搬送ベルト３３の表層に接触し、搬送ベルト３３の回動に従動して回転するように配置されている。この帯電ローラ３４には図示しない高圧回路（高圧電源）から高電圧が所定のパターンで印加される。
【００２８】
また、搬送機構５から下流側には画像が記録された用紙３を排紙トレイ６に送り出すための排紙ローラ３８を備えている。
【００２９】
このように構成した画像形成装置において、搬送ベルト３３は矢示方向に周回し、高電位の印加電圧が印加される帯電ローラ３４と接触することで正に帯電される。この場合、帯電ローラ３４は、所定の時間間隔で極性を切り替えることによって、所定の帯電ピッチで搬送ベルト３３を帯電する。
【００３０】
ここで、この高電位に帯電した搬送ベルト３３上に用紙３を給送すると、用紙３内部が分極状態になり、搬送ベルト３３上の電荷と逆極性の電荷が用紙３の搬送ベルト３３と接触している面に誘電され、搬送ベルト３３上の電荷と搬送される用紙３上に誘電された電荷同士が互いに静電的に引っ張り合い、用紙３は搬送ベルト３３に静電的に吸着される。このようにして、搬送ベルト３３に強力に吸着した用紙３は反りや凹凸が校正され、高度に平らな面が形成される。
【００３１】
そこで、搬送ベルト３３を周回させて用紙３を移動し、キャリッジ１３を片方向又は双方向に移動走査しながら画像信号に応じて記録ヘッド１４を駆動し、図５の（ａ）、（ｂ）に示すように、記録ヘッド１４から液滴１４ｉを吐出（噴射）して、停止している用紙３に液滴であるインク滴を着弾してドットＤｉを形成することにより、１行分を記録し、用紙３を所定量搬送後、次の行の記録を行う。記録終了信号又は用紙３の後端が記録領域に到達した信号を受けることにより、記録動作を終了する。尚、図５（ｂ）は図５（ａ）のドットＤｉ形成部分を拡大したものである。
【００３２】
上述したような方法により、画像が記録された用紙３は排紙ローラ３８によって排紙トレイ６に排紙される。
【００３３】
次に、本実施形態に係る画像形成装置の制御部の概略構成例について図６のブロック図を参照して説明する。
【００３４】
本実施形態に係る画像形成装置の制御部２００は、輪郭部の補正を行う手段（例えば、ジャギー補正を行う手段）を兼ねた、画像形成装置全体の制御を司るＣＰＵ２０１と、ＣＰＵ２０１が実行する本実施形態に係るプログラムを含むプログラム、その他の固定データを格納するＲＯＭ２０２と、画像データ等を一時格納するＲＡＭ２０３と、画像形成装置の電源が遮断されている間もデータを保持するための書き換え可能な不揮発性メモリ２０４と、画像データに対する各種信号処理、並び替え等を行う画像処理やその他画像形成装置全体を制御するための入出力信号を処理するＡＳＩＣ（Application Specified IC）２０５と、を備えている。
【００３５】
また、この制御部２００は、ホスト側とのデータ、信号の送受を行うためのＩ／Ｆ２０６と、記録ヘッド１４を駆動制御するためのデータ転送手段、駆動波形を生成する駆動波形生成手段を含む印刷制御部２０７と、キャリッジ１３側に設けた記録ヘッド１４を駆動するためのヘッドドライバ（ドライバＩＣ）２０８と、主走査モータ２２０及び副走査モータ２２２を駆動するためのモータ駆動部２１０と、帯電ローラ３４にＡＣバイアスを供給するＡＣバイアス供給部２１２と、エンコーダセンサ２２１、２２３からの各検出信号、ドット形成位置のズレを来たす要因としての環境温度を検出する温度センサ２１５などの各種センサからの検出信号を入力するためのＩ／Ｏ２１３などを備えている。また、この制御部２００には、この画像形成装置に必要な情報の入力及び表示を行うための操作部２１４が接続されている。
【００３６】
ここで、制御部２００は、パーソナルコンピュータ等の情報処理装置、イメージスキャナなどの画像読み取り装置、デジタルカメラなどの撮像装置などのホスト側からの画像データ等をケーブル或いはネットを介してＩ／Ｆ２０６で受信する。
【００３７】
そして、制御部２００のＣＰＵ２０１は、Ｉ／Ｆ２０６に含まれる受信バッファ内の印刷データを読み出して解析し、ＡＳＩＣ２０５にて必要な画像処理、データの並び替え処理等を行い、この画像データを印刷制御部２０７からヘッドドライバ２０８に転送する。なお、画像出力するためのドットパターンデータの生成は後述するようにホスト側のプリンタドライバで行っている。
【００３８】
印刷制御部２０７は、上述した画像データをシリアルデータでヘッドドライバ２０８に転送するとともに、この画像データの転送及び転送の確定などに必要な転送クロックやラッチ信号、滴制御信号（マスク信号）などをヘッドドライバ２０８に出力する以外にも、ＲＯＭ２０２に格納されている駆動信号のパターンデータをＤ／Ａ変換するＤ／Ａ変換器及び電圧増幅器、電流増幅器等で構成される駆動波形生成部及びヘッドドライバに与える駆動波形選択手段を含み、１つの駆動パルス（駆動信号）或いは複数の駆動パルス（駆動信号）で構成される駆動波形を生成してヘッドドライバ２０８に対して出力する。
【００３９】
ヘッドドライバ２０８は、シリアルに入力される記録ヘッド１４の１行分に相当する画像データに基づいて印刷制御部２０７から与えられる駆動波形を構成する駆動信号を、選択的に記録ヘッド１４の液滴を吐出させるエネルギーを発生する駆動素子（例えば、前述したような圧電素子）に対して印加することで、記録ヘッド１４を駆動する。このとき、駆動波形を構成する駆動パルスを選択することによって、例えば、大滴（大ドット）、中滴（中ドット）、小滴（小ドット）など、大きさの異なるドットを打ち分けることができる。
【００４０】
また、ＣＰＵ２０１は、リニアエンコーダを構成するエンコーダセンサ２２１からの検出パルスをサンプリングして得られる速度検出値及び位置検出値と、予め格納した速度・位置プロファイルから得られる速度目標値及び位置目標値とに基づいて主走査モータ２２０に対する駆動出力値（制御値）を算出して、モータ駆動部２１０を介して主走査モータ２２０を駆動する。同様に、ロータリエンコーダを構成するエンコーダセンサ２２３からの検出パルスをサンプリングして得られる速度検出値及び位置検出値と、予め格納した速度・位置プロファイルから得られる速度目標値及び位置目標値とに基づいて副走査モータ２２２に対する駆動出力値（制御値）を算出して、モータ駆動部２１０を介して副走査モータ２２２を駆動する。
【００４１】
次に、印刷制御部２０７及びヘッドドライバ２０８の一例について図７を参照して説明する。
【００４２】
印刷制御部２０７は、上述したように、１印刷周期内に複数の駆動パルス（駆動信号）で構成される駆動波形（共通駆動波形）を生成して出力する駆動波形生成部３０１と、印刷画像に応じた２ビットの画像データ（階調信号０、１）と、クロック信号、ラッチ信号（ＬＡＴ）、滴制御信号Ｍ０〜Ｍ３を出力するデータ転送部３０２と、を備えている。
【００４３】
なお、滴制御信号は、ヘッドドライバ２０８の後述するスイッチ手段であるアナログスイッチの開閉を滴毎に指示する２ビットの信号であり、共通駆動波形の印刷周期に合わせて選択すべき波形でＨレベル（ＯＮ）に状態遷移し、非選択時にはＬレベル（ＯＦＦ）に状態遷移する。
【００４４】
ヘッドドライバ２０８は、データ転送部３０２からの転送クロック（シフトクロック）及びシリアル画像データ（階調データ：２ビット／ＣＨ）を入力するシフトレジスタ３１１と、シフトレジスタ３１１の各レジスト値をラッチ信号によってラッチするためのラッチ回路３１２と、階調データと滴制御信号Ｍ０〜Ｍ３をデコードして結果を出力するデコーダ３１３と、デコーダ３１３のロジックレベル電圧信号をアナログスイッチ３１５が動作可能なレベルにレベル変換するレベルシフタ３１４と、レベルシフタ３１４を介して与えられるデコーダ３１３の出力でオン／オフ（開閉）されるアナログスイッチ３１５と、を備えている。
【００４５】
このアナログスイッチ３１５は、各圧電素子１２１の選択電極（個別電極）に接続され、駆動波形生成部３０１からの共通駆動波形が入力されている。したがって、シリアル転送された画像データ（階調データ）と制御信号ＭＮ０〜ＭＮ３をデコーダ３１３でデコードした結果に応じてアナログスイッチ３１６をオンにすることにより、共通駆動波形を構成する所要の駆動信号が通過して（選択されて）圧電素子１２１に印加される。
【００４６】
次に、駆動波形の一例について図８及び図９を参照して説明する。
【００４７】
駆動波形生成部３０１からは１印刷周期（１駆動周期）内に、図８に示すように、基準電位Ｖｅから立ち下がる波形要素と、立下り後の状態から立ち上がる波形要素などで構成される、８個の駆動パルスＰ１ないしＰ８からなる駆動信号（駆動波形）を生成して出力する。一方、データ転送部３０２からの滴制御信号Ｍ０〜Ｍ３によって使用する駆動パルスを選択する。
【００４８】
ここで、駆動パルスの電位Ｖが基準電位Ｖｅから立ち下がる波形要素は、これによって圧電素子１２１が収縮して加圧液室の容積が膨張する引き込み波形要素である。また、立下り後の状態から立ち上がる波形要素は、これによって圧電素子１２１が伸長して加圧液室の容積が収縮する加圧波形要素である。
【００４９】
そして、データ転送部３０２からの滴制御信号Ｍ０〜Ｍ３によって、小滴（小ドット）を形成するときには図９の（ａ）に示すように駆動パルスＰ１を選択し、中滴（中ドット）を形成するときには図９の（ｂ）に示すように駆動パルスＰ４ないしＰ６を選択し、大滴（大ドット）を形成するときには図９の（ｃ）に示すように駆動パルスＰ２ないしＰ８を選択し、微駆動の（例えば、滴吐出を伴わないでメニスカスを振動させる）ときには図９の（ｄ）に示すように微駆動パルスＰ２を選択して、それぞれ記録ヘッド１４の圧電素子１２１に印加させるようにする。
【００５０】
次に、本実施形態に係る画像形成装置の記録手段について説明する。本実施形態に係る画像形成方法では、高画質な階調記録を行うためにほぼ同一色で明度の異なる有彩色の色材をそれぞれ記録する記録手段を有する。上記複数の記録手段は、複数の記録ヘッドを用いて記録を行う別体方式であってもよく、また１つの記録ヘッドで複数の濃度の記録を行う一体方式であってもよい。
【００５１】
高画質な階調記録のためには、低中間調画像部（ハイライト部）から高中間調画像部（ダーク部）まで広い階調再現範囲と違和感のない階調のつなぎを実現することが重要である。広い再現範囲とは、言い替えれば再現可能な最高画像濃度が高いことであり、各色材のベタ画像濃度を一定値以上とすることで実現できる。また、違和感のない階調のつなぎとは定義が容易ではないが、例えば、記録媒体に記録ドットを印字する場合、記録媒体と印字ドットのコントラストがある一定以上となると画像にぼつぼつ感、ざらざら感（これを粒状感と称す）が発生する。
【００５２】
コントラストの指標の一つとして明度差を挙げることができるが、この明度差が２５を超えると粒状感が発生し、明度差が３５を超えると顕著に粒状感があらわれることとなる。一般的なコピー用紙の明度は９０前後であるので、９０前後の明度の記録媒体上に直接記録してもそのドットの粒状感が目立たないようにするためにはインクの記録明度は６５以上であることが望ましい。よって、本実施形態では、最も薄いインク（淡インク）による記録明度は６５となるような記録インク（色材）を用いることとする。
【００５３】
尚、前記記録明度とはＣＩＥ（国際照明委員会）が１９７６年に勧告した心理計測明度の定義で、通常Ｌ＊で表記する値を意味する（今後特に明記しない場合、明度、色相、彩度はＣＩＥ１９７６での定義とする）。
【００５４】
また、記録明度の測定方法は、前記記録手段によって記録媒体上に記録した記録ドットの明度、または色材を１００％ベタ記録した場合の記録領域の明度で、このときの光源は前記ＣＩＥ定義の標準照明光Ｄ６５である。
【００５５】
また上述したように、広い再現範囲を実現するために最高画像濃度を一定値以上と設定する必要がある。この最高濃度記録は高画質化を目的としたその画像形成装置固有の専用記録媒体であれば少なくとも測定色の補色フィルタを用いて測定する光学反射濃度（Ｏ．Ｄ）で１．４以上であることが望ましい。一般的なコピー用紙への記録であっても高画質を狙うためには前記Ｏ．Ｄで１．０以上は必要とされる。例えば、以下に示すような、Ｙ（イエロー）、Ｍ（マゼンタ）、Ｃ（シアン）系とＣＭＹ間の色相Ｒ（レッド）、Ｇ（グリーン）、Ｂ（ブルー）色材を用いて、フルカラー画像を形成する画像形成装置においては、Ｙインクは上記明度６５以上のインクで濃度１．４が実現できる色相のインクなので、Ｙ色材は明度８５のインク１種類とする。Ｍ、Ｃインクは明度６５に調整したインクではＯ．Ｄ１．４を達成できないのでこの明度６５の記録明度となるＭ、Ｃ色材（淡インク）を１種類と、さらにＯ．Ｄ１．４を達成できるＭ、Ｃ色材（濃インク）を設定する。
【００５６】
また、Ｒ、Ｇ、Ｂについては、本実施形態に係る画像形成装置装置固有の専用記録媒体であれば少なくともＣＩＥ（国際照明委員会）が１９７６年に勧告した心理計測明度の定義の彩度（Ｃ）でＲ８０以上、Ｇ６５以上、Ｂ５５以上であることが望ましい。一般的なコピー用紙への記録であっても、高画質を実現するには前記彩度Ｃで５０以上は必要とされる。Ｒ、Ｇ、Ｂインクを明度６５に調整したインクでは彩度ＣがＲ８０以上、Ｇ６５以上、Ｂ５５以上を達成できないので、この明度６５の記録明度となるＲ、Ｇ、Ｂ色材（淡インク）を１種類と、さらに彩度ＣがＲで８０以上、Ｇで６５以上、Ｂで５５以上を達成できるＲ、Ｇ、Ｂ色材（濃インク）を設定する。
【００５７】
ここで、中間調記録ではハイライト部（低階調部）は上記淡インクで記録を行い、ダ−ク部（高階調部）記録に移るにしたがって濃インクによる記録を混在させて中間調記録を行う。濃インクを混在させた場合にこの濃インクによるドットの粒状感を目立たなくするためには、淡インク記録部の明度と濃インク記録部の明度の明度差を前記同様望ましくは２５以内、最大でも３５以内になるように濃インクの明度（インク濃度）を決定する必要がある。
【００５８】
また、濃インクによるＭ、Ｃでは記録明度をおよそ５０とすることで濃インク記録によるベタＯ．Ｄを１．４以上とすることができる。この記録明度５０は淡インクとの記録明度の差が１５と２５より十分小さいので、淡インクと濃インクの中間濃度のインクをさらに使用することなく淡インク記録部に濃インク記録を混在していっても、その粒状感は殆ど目立たないレベルとすることができる。
【００５９】
Ｒ、Ｇ、Ｂについては、Ｒは明度４６．８、Ｇは明度６７．２、Ｂは明度３６．３にすることで彩度ＣがＲ８０以上、Ｇ６５以上、Ｂ５５以上を達成することができる。このときＢの記録明度４５は淡インクとの記録明度の差が２５より小さい（差は２３．７）ので、淡インクと濃インクの中間濃度のインクをさらに使用することなく淡インク記録部に濃インク記録を混在していっても、その粒状感は殆ど目立たないレベルとすることができる。
【００６０】
したがって、この本実施形態であれば、Ｙは１種類、Ｍ、Ｃは各２種類、Ｒ、Ｇ、Ｂについても各２種類の前記明度に調整したインクを用いることにより、低階調部から高階調部まで全ての中間調再現域において違和感のない階調のつなぎと広い階調再現範囲をもつ高画質階調を実現する画像形成装置を提供することが可能となる。すなわち、各色最小限の種類の（記録明度の）インク（色材）を備えることで、高画質階調を実現することが可能となる。
【００６１】
さらに、記録媒体がフィルタのような透過型の媒体については、上記色材のうち、Ｒ、Ｇ、Ｂのみを使用することで、同様の効果を得ることができる。
【００６２】
顕色性の概念としてはインクそのものの発色性の強さ、または記録媒体に描画された状態での発色の強さの度合いを示すものである。有彩色の場合は発色の強さの程度を表わすものであり、無彩色の場合は明るさの程度を表わすものである。また、同一の染料や顔料を用いている場合は、インクの染料濃度を示すこともある。また、例えば、記録媒体に印字された状態で比較する場合においては、光学反射濃度を示したり、ほぼ同一色相での最大彩度を示したりもする。いわゆる光発色なものを優れた顕色性という位置付けとする。
【００６３】
＜記録ヘッド＞
本実施形態に係る画像形成装置の記録ヘッド１４としては、例えば、図２及び図３に示すように、イエロー（Ｙ）、マゼンタ（Ｍ）、シアン（Ｃ）、ブラック（Ｂｋ）の各色のインク滴を吐出する液滴吐出ヘッドである独立した４個のインクジェットヘッド１４ｙ、１４ｍ、１４ｃ、１４ｋとしているが、各色のインク滴を吐出する複数のノズル列を有する１又は複数のヘッドを用いる構成とすることもできる。尚、色の数や種類、配列順はこれに限ったものではない。
【００６４】
本実施形態に係る画像形成装置に適用することができる記録ヘッド１４は、副走査方向に配列した複数のノズルからなるノズル列を主走査方向に複数列配列し、同一色のインクを吐出するノズル列を２列以上有し、前記同一色のインクを吐出するノズル列の間に異なる色のインクを吐出するノズル列を１列以上配列する構成とすることができる。これにより、インク滴の重ねる順序によって色調が微妙に異なるといった、いわゆる「双方向色差」を抑制することが可能となる。
【００６５】
また、本実施形態に係る画像形成装置に適用することができる記録ヘッドの別の形態として、副走査方向に配列した複数のノズルからなるノズル列を主走査方向に複数列配列し、同一色のインクを吐出するノズル列を２列以上有し、該同一色のインクを吐出するノズル列の間に異なる色のインクを吐出するノズル列を１列以上配列し、主走査方向に直行する軸を中心に、同一色のインクを吐出するノズル列を左右対称に配列する構成とすることもできる。
【００６６】
本実施形態に係る画像形成装置の記録ヘッドは、上述したいずれの形態でも適用することができ、記録ヘッドを上述した構成とすることで双方向印刷時の色差発生を防止することができる。以下、具体的な例について、図を用いて説明する。
【００６７】
まず、図１３に示すように、印写方向に各色のノズル列が１列ずつ配列されたヘッド（例えば、ＹＭＣＫと配置されたヘッド）では、双方向印字すると複数の記録液を重ねた部分では双方向色差が生じてしまう。
【００６８】
ところが、同一色のインクを吐出するノズル列を２列以上配列し、その間に重ねたい別の色インクを吐出するノズル列を１列以上配列させることで、上述した問題を解決することができる。例えば、図１０に示すように、Ｙインクを吐出するノズル列の間にＣ、Ｍインクを吐出するノズル列を配列するようにすることによって、往路、復路に関わらずＣ→Ｙの順で重ね合わせることもできるし、Ｙ→Ｃの順で重ね合わせることもできる。また、往路、復路に関わらずＭ→Ｙの順で重ね合わせることもできるし、Ｙ→Ｍの順で重ね合わせることもできる。これによって、色再現域を拡大しながら双方向印字することができ、色再現域が広いカラー印刷物を高速で印刷することが可能となる。
【００６９】
さらに、図１１に示すように、主走査方向に直行する軸を中心に、同一色のインクを吐出するノズル列を左右対称に配列することによって、より多くの色について往路、復路に関わらず任意の重ね順序で２種以上の色インクを重ね合わせることができる。図１１では、Ｋインクを吐出するノズルを中心として、Ｃ、Ｍ、Ｙインクを吐出するノズルを左右対称に配列する例を示している。これによって、さらに広い色再現域を得ながら双方向印字することができ、さらに色再現域が広いカラー印刷物を高速で印刷することが可能となる。
【００７０】
また、図１２に示すように、通常のイエロー（Ｙ）、マゼンタ（Ｍ）、シアン（Ｃ）、ブラック（Ｋ）インクの他に、特色として用いるレッド（Ｒ）、グリーン（Ｇ）、ブルー（Ｂ）、さらにはそれぞれのインクに対して色濃度の低いイエロー、マゼンタ、シアン、ブラック、レッド、グリーン、ブルーを用いることができる（例えば、ライトイエロー（ＬＹ）、ライトマゼンタ（ＬＭ）、ライトシアン（ＬＣ）、ライトグレー（ＬＫ）、ライトレッド（ＬＲ）、ライトグリーン（ＬＧ）、ライトブルー（ＬＢ））。これら色濃度の低いインクを用いることで、色再現域を拡大することに加えて、粒状感（ざらつき感）が抑制されたカラー印刷物を印刷することが可能となる。尚、本実施形態に用いるインクの色の種類や数はこれに限定されるものではない。
【００７１】
また、本実施形態に適用する記録液は色材として、顔料、染料のいずれでも用いることができ、混合して用いることもできる。
【００７２】
また、本実施形態に係る画像形成装置の記録ヘッド１４を構成するインクジェットヘッドとしては、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等を、インクを吐出するためのエネルギー発生手段として備えたもの等を適用することができる。
【００７３】
（実施形態１）
本実施形態において、画像形成装置が画像形成を形成する対象としている記録媒体は、前記一般的なコピー用紙と、表面にインクを保持するコート層が設けられているインクジェット専用紙である。本実施形態においてはこのインクジェット専用紙にて以下の表１及び表２の特性となるようなインクを作成した。
【００７４】
【表１】
2010173185.tif 000003
【００７５】
【表２】
2010173185.tif 000004
【００７６】
表１及び表２に記載のデータは、前記１００％ベタ印字を行った場合の値である。ちなみに「２００％」は縦３６０ｄｐｉ、横７２０ｄｐｉの格子点に各１ドット印字した場合の結果であり、単位面積当たりの記録ドットの打ち込み量は１００％ベタ印字の場合の２倍となる。表１から明らかなように、１００％ベタ印字時の各色の記録Ｏ．Ｄは、Ｃインクが１．５０、Ｍインクが１．４２、Ｙインクが１．４１でいずれも１．４を超えている。最高画像濃度が十分に高いことから高画質な階調記録を行う上で重要な１要素である階調再現範囲は十分に広くとることが可能となる。
【００７７】
一方、同表に記すように記録明度はＹが８８．８と十分に高い明度を示しているのに比べ、Ｃが５２．１、Ｍが４６．２といずれも６０を下回っている。該インクジェット専用の記録媒体の明度は９４．２であり、記録媒体とＣ、Ｍインクの記録明度との差はそれぞれ４２．１、４８．０である。また、表２に示すように記録媒体とＲ、Ｇ、Ｂインクの記録明度との差はそれぞれ４７．４、２７．０、５７．９とかなり大きい差となる。前述の通り、記録明度差が３５を超えると著しくドットの粒状感が出てしまうことから、階調再現において、特にハイライト部での階調再現で違和感のない滑らかなつなぎは期待できない。
【００７８】
しかし、本実施形態では階調再現性の品質を左右する上記ハイライト部での粒状感と最高画像濃度のバランスを定量的に判断し解を導く。すなわち、各色の記録明度が６０以上になるようにＹ、Ｍ、Ｃ、Ｒ、Ｇ、Ｂのインクの染料濃度、もしくは顔料濃度を決定する。記録明度を６０以上とするのは、記録媒体との明度差を３５以内（Ｌ＊≦３５）とするためである。１つの画像形成装置で対象とする記録媒体は通常１種類ではない。また、一般に使用者が手に入れられるコピー用紙は多種多様であるので、ただ１つの媒体との明度差のみにとらわれてインクを設定することは適当ではない。
【００７９】
しかし、コピー用紙は多種多様ではあるがそれらの媒体明度はおよそ８５から９０の範囲であり、また上記インクジェット専用紙の媒体明度はおよそ９０から９５である。したがって最も厳しいインクジェット専用紙の媒体明度９５であっても記録インクの記録明度を６０以上に合わせておけば、殆どのコピー用紙、インクジェット専用紙で明度差２５から３５を達成できる。前記の通り明度差２５は粒状感をなくすのに望ましい範囲であり、明度差３５は粒状感を許容できる範囲であり、したがって記録明度を６０以上とすることにより大半の記録媒体に対して最適な希釈濃度を決定できる。
【００８０】
尚、無彩色のＫ（ブラック）インクについては、表１の濃度では高濃度インクで記録明度２０．８であり６０を大きく下回っている。本実施形態では表１のようなＫを希釈した３段階の濃度のインクを、段階間が明度３５以下となるように作成した。またＫはＣ、Ｍ、Ｙインクを用いて薄いグレーを合成する方法でも良い。
【００８１】
上述したように、有彩色を記録する全ての記録色材の記録明度を６０以上（Ｌ＊≧６０）とすることで、前述の低階調部から高階調部まで全ての中間調再現域において違和感のない階調のつなぎと広い階調再現範囲をもつ高画質階調再現を実現した、同一色相で明度の異なる複数のインク（色材）を用いた画像形成装置を容易に提供できる。
【００８２】
（実施形態２）
次に、さらに高画質な階調記録が可能な他の例について説明する。上記実施形態１では、ほぼ同一色相のインク１種類ずつを用いることにより高画質階調記録を行うことが可能なインク組成の例について説明した。これは、上述したように、高画質階調記録は可能であるが高濃度画像の出力を実現するために対象記録媒体の許容受容範囲内で単位面積当たり多くのインクを打ち込む仕様であった。しかし、インクの打ち込み量を多くすると使用インク量が増大し、ランニングコストが増大する。また、インクタンクの交換頻度が増す等操作上の煩わしさが増す。さらには、ページ当たりの印字ドット数が増大するので記録ヘッドの寿命も短命化してしまうなど、特に大量の印刷行う現場では無視できない差となって現れる場合もある。
【００８３】
しかし、本実施形態では単位面積当たりの打ち込みドット数を低減し上記問題を抑制した画像形成装置を実現する。本実施形態では高画質階調記録が実現できる条件の下で、かつ、ベタ１００％印字で最高濃度が達成できるようにほぼ同一色相に明度の異なる複数の記録明度インクを設定する。
【００８４】
高画質階調記録を実現する条件とは、上述したように低階調部から高階調部まで全ての中間調再現域にいおいて違和感のない階調のつなぎが達成でき、広い階調再現範囲を有することである。具体的に本実施形態では、ほぼ同一色相の階調記録を行う場合に打ち込むドットの記録明度と周囲明度との明度差が３５以内（最高明度の色材による記録明度と記録媒体の明度差が３５以内であることを含む）、最高濃度はインクジェット用の専用用紙では光学反射濃度（Ｏ．Ｄ）で１．４以上、一般的なコピー用紙であれば１．０とする。また、ＲＧＢについてはほぼ同一色相の階調記録を行う場合に打ち込むドットの記録明度と周囲明度との明度差が３５以内（最高明度の色材による記録明度と記録媒体の明度差が３５以内であることを含む）、最高彩度はインクジェット用の専用用紙では彩度ＣでＲ８０以上、Ｇ６５以上、Ｂ５５以上、一般的なコピー用紙であればＲＧＢそれぞれ彩度Ｃ６０以上とする。
【００８５】
さらに本実施形態では、これらの濃度が確保できるＣＭＹＫインクおよびＲＧＢインクを用意し、そのインクを濃インクと呼ぶこととする。
【００８６】
次に、上記濃インクでは改善できない高画質階調再現、すなわちハイライト部等での粒状感のない滑らかな階調つなぎの方法について説明する。濃インクでの記録明度は上記表１に記す通り、Ｃ、Ｍ、Ｙはそれぞれ５２．１、４６．２、８８．８である。また、Ｒ、Ｇ、Ｂの濃インクでの記録明度は上記表２に示すように、それぞれ４６．８、６７．１、３６．３である。
【００８７】
上述の通り、記録明度の記録ドットを印字しても粒状感が目立たないためには背景（すなわち既に記録した画像）との明度差が３５以内（望ましくは２５以内）でなくてはならない。よって、濃インクよりも濃度の低いインク（便宜上淡インクと称す）の明度はＣ、Ｍそれぞれ８７．１、８１．２以下、Ｒ、Ｇ、Ｂはそれぞれ８１．８、１０２．１、７１．３の範囲で選択できる（望ましくは明度差２５以内であるので、Ｃ７７．１、Ｍ７１．２、Ｒ７１．８、Ｇ９２．１、Ｂ６１．３以内の記録明度である方がより好ましい）。
【００８８】
また、淡インクでの記録明度は濃インクでの記録明度との明度差のほか、記録媒体との明度差も考慮しなくてはならない。本実施形態で想定する記録媒体は上記実施形態１同様の最大明度９５である。よって、濃インク記録明度と記録媒体明度の中間に、以下の表３及び表４に示すような淡インクの記録明度を設定することで双方との明度差を許容範囲内に設定できる。したがって、Ｃ、Ｍの淡インクを表１の４倍、３倍とする。すなわち、Ｃの淡記録明度が７３．０、Ｍの淡記録明度が６５．０、Ｒの淡記録明度が７０．８、Ｇの淡記録明度が８０．０、Ｂの淡記録明度が６４．３となる。Ｙは濃インクで濃度、明度双方を満足しているので淡インクを設定する必要はない。
【００８９】
【表３】
2010173185.tif 000005
【００９０】
【表４】
2010173185.tif 000006
【００９１】
上記濃インク、淡インクの設定で、Ｃ画像に関しては媒体と淡記録画増間の明度差が２２（９５−７３）、淡記録画像と濃記録画像間の明度差が２０．９（７３．０−５２．１）、そして最大記録濃度（光学反射濃度Ｏ．Ｄ）が１．５０となる。また、Ｍ画像に関しては媒体と淡記録画像間の明度差が３０、淡記録画像と濃記録画像間の明度差が１８．８、そして最大記録濃度（光学反射濃度Ｏ．Ｄ）が１．４２となる。またＹ画像に関しては媒体とＹ画像間の明度差が６．２、そして最大記録濃度（光学反射濃度Ｏ．Ｄ）が１．４１となる。
【００９２】
また、上記濃インク、淡インクの設定で、Ｒ画像に関しては媒体と淡記録画増間の明度差が２４．２（９５−７０．８）、淡記録画像と濃記録画像間の明度差が２４（７０．８−４６．８）、そして最大記録彩度（Ｃ）が９０となる。Ｇ画像に関しては媒体と淡記録画増間の明度差が１５（９５−８０）、淡記録画像と濃記録画像間の明度差が１２．８（８０−６７．２）、そして最大記録彩度（Ｃ）が７２．８となる。またＢ画像に関しては媒体と淡記録画増間の明度差が３０．７（９５−６４．３）、淡記録画像と濃記録画像間の明度差が２８（６４．３−３６．３）、そして最大記録彩度（Ｃ）が５８．５となる。
【００９３】
本実施形態では、記録画像の最高濃度１．４以上と定めた点とＲＧＢ彩度がＲ８０以上、Ｇ６５以上、Ｂ６５以上と定めた点、記録媒体を一般的なコピー用紙とインクジェット専用記録紙と定めた点と、インクを表１で定めた組成としたこと等の前提で、Ｃ、Ｍ、Ｙ、Ｒ、Ｇ、Ｂのインクの種類がたまたまＣ、Ｍ、Ｒ、Ｇ、Ｂが２種類、Ｙが１種類となったが、この前提を変えればインクの種類はいろいろな組合せで各々必要な種類数がまた別に決まってくる。
【００９４】
前提がどのような場合であっても、媒体間、各々のインク間の記録明度差が３５以内（望ましくは２５以内）の条件でインク組成（色材組成）を調整することで本発明の効果である高画質階調記録は実現されるものであり、本発明が本実施形態の前提条件、及び該条件の下での最適組合せの一例に限定されるものではもちろんない。但し、明度はその定義上最大値が１００であり、画像形成装置が記録媒体に印字する系であれば、事実上存在する記録媒体の明度の最大値はおよそ９５程度と判断できる。よって最大の記録明度として６０以上の明度の記録ができる色材（淡色材）を有することで、殆どの場合記録媒体と淡色材による記録画像間での粒状感は抑制することが可能となる。
【００９５】
尚、上述した「同一色相で明度が異なる色材（インク）」とは、同一色相の階調記録時に、主に低階調部（ハイライト部）の記録を行うときに用いる高明度色材と、主に高階調部（ダーク部）の記録を行うときに用いる低明度色材を、同一色相で明度が異なる色材を称している。よって、同一色相の階調記録時に用いる明度の異なるインクとは必ずしも２種類と限定されるものではない。同一色相の記録を行う明度の異なる色材を３種以上有する場合の構成及び作用効果は前記実施形態と同様であるので、ここでは説明を省略する。
【００９６】
さらに、本実施形態ではＣＭＹとＲＧＢの色材を用いた画像形成方法の例について説明したが、ＲＧＢのみの色材を用いた画像形成方法にも適応可能である。
【００９７】
以上好適な実施の形態に基づき具体的に説明したが、本発明は上述した画像形成装置及び画像形成方法に限定されるものではなく、その要旨を逸脱しない範囲で種々変更可能であるということは言うまでもない。
【産業上の利用可能性】
【００９８】
尚、上記実施形態においては、本発明をインクジェット記録装置に適用した例で説明したが、本発明をプリンタ、ファクシミリ装置、複写装置、プリンタ／ファックス／コピア複合機等にも適用することができ、また、インク以外の記録液を用いた画像形成装置やこの画像形成装置に印刷データを与えるデータ処理装置及びこのデータ処理装置に搭載されるプリンタドライバ等にも適用することが可能である。
【符号の説明】
【００９９】
１    画像形成装置
２    画像形成部
３    記録媒体
４    給紙トレイ
５    搬送機構
６    排紙トレイ
７    両面ユニット
１１    ガイドシャフト
１２    ガイドシャフト
１３    キャリッジ
１４    記録ヘッド
１４ｉ    液滴
１５    インクカートリッジ
２１    給紙コロ
２３    搬送ガイド部
２３ａ    ガイド面
２３ｂ    ガイド面
２４    搬送ローラ
２５    加圧コロ
２６    ガイド部材
２７    ガイド部材
２８    押し付けコロ
３１    駆動ローラ
３２    従動ローラ
３３    搬送ベルト
３３ａ    第１層
３３ｂ    第２層
３４    帯電ローラ
３５    ガイドローラ
３８    排紙ローラ
１２１    圧電素子
２００    制御部
２０１    ＣＰＵ
２０２    ＲＯＭ
２０３    ＲＡＭ
２０４    不揮発性メモリ
２０５    ＡＳＩＣ
２０６    ホストＩ／Ｆ
２０７    印刷制御部
２０８    ヘッドドライバ
２１０    モータ駆動部
２１２    ＡＣバイアス供給部
２１３    Ｉ／Ｏ
２１４    操作部
２１５    温度センサ
２２０    主走査モータ
２２１    エンコーダセンサ
２２２    副走査モータ
２２３    エンコーダセンサ
【先行技術文献】
【特許文献】
【０１００】
【特許文献１】特許第３７７４５０５号公報
【特許文献２】特開２００６―１６７９３４号公報
【図１】
2010173185.tif 000007
【図２】
2010173185.tif 000008
【図３】
2010173185.tif 000009
【図４】
2010173185.tif 000010
【図５】
2010173185.tif 000011
【図６】
2010173185.tif 000012
【図７】
2010173185.tif 000013
【図８】
2010173185.tif 000014
【図９】
2010173185.tif 000015
【図１０】
2010173185.tif 000016
【図１１】
2010173185.tif 000017
【図１２】
2010173185.tif 000018
【図１３】
2010173185.tif 000019